(57)【要約】【課題】  椅子を種々の態様でスタッキングできるようにする。【解決手段】  前脚（２）、後脚（３）間にスタッキングバー（１５）を設ける。上記前脚（２）と後脚（３）により支持される座部（７）は、水平状態と起立状態に回動可能である。この座部（７）の座裏カバー（１４）には、上記スタッキングバー（１５）を載置きる耳片状の受部（２０）が両側に突出している。この受部（２０）には、上記スタッキングバー（１５）の係合部が係合するストッパー（２１）及びリブ（２２）がある。この椅子は、上記座部を水平状態にしたまま受部（２０）にスタッキングバー（１５）が載るように上下方向に積み重ねたり、上記座部を起立させ座裏カバー（１４）の凹部（３２）に背もたれ（５）の下縁が入り込むように前後方向にスタッキングすることができる。【選択図】      図１
2005185385.tif 000002
【特許請求の範囲】
【請求項１】
水平状態と起立状態に回動可能に設けた座部を有し、該座部を起立して同一形状の椅子を前後方向にスタッキングできるようにした椅子において、上記座部を支持する前脚、後脚間にスタッキングバーを設け、座部を水平状態にして同一形状の椅子を上下方向に積み重ねたとき上記スタッキングバーを支持するよう上記座部の側方にスタッキングバーの受部を設けたことを特徴とする椅子。
【請求項２】
上記座部は裏面を覆う座裏カバーを有し、上記受部は該座裏カバーと一体的に設けられている請求項１に記載の椅子。
【請求項３】
上記スタッキングバーは載置部と係合部を有し、上記受部には上記係合部に係合するようストッパーが設けられている請求項１または２に記載の椅子。
【請求項４】
上記受部には上記スタッキングバーの載置部の外側に沿うようリブが設けられている請求項３に記載の椅子。
【請求項５】
上記座裏カバーには、同一形状の椅子を前後方向にスタッキングした際、背もたれの突出部が入り込む凹部が形成されている請求項２〜４のいずれかに記載の椅子。
【発明の詳細な説明】
【技術分野】
【０００１】
本発明は、積み重ねて収納できる椅子に関する。
【背景技術】
【０００２】
不使用時や搬送の際等に積み重ねできるようにしたスタッキング椅子が知られている。このようなスタッキング椅子は前後方向にスタッキングする椅子（例えば特許文献１参照）と上下方向にスタッキングする椅子（例えば特許文献２参照）の２つのタイプがあるが、収納場所や椅子の大きさ、構造等により上下方向に積み重ねたり前後方向に積み重ねたり所望により選択的にスタッキングできる椅子は知られていない。また、上下方向に積み重ねたとき上方の椅子が不安定になるような椅子もあり、前後方向に積み重ねたとき背もたれが当って積み重ねピッチが大きくなるような椅子もあった。
【特許文献１】特開２０００−５０９９５号公報（図６）
【特許文献２】特開２０００−３３３７６１号公報（図６）
【発明の開示】
【発明が解決しようとする課題】
【０００３】
本発明の解決課題は、上下方向及び前後方向に選択的にスタッキングすることができる椅子を提供することである。また、上下方向に積み重ねたとき、上方の椅子が安定し、前後方向にスタッキングしたとき積み重ねピッチを小さくできる上記椅子を提供することである。
【課題を解決するための手段】
【０００４】
本発明によれば、水平状態と起立状態に回動可能に設けた座部を有し、該座部を起立して同一形状の椅子を前後方向にスタッキングできるようにした椅子において、上記座部を支持する前脚、後脚間にスタッキングバーを設け、座部を水平状態にして同一形状の椅子を上下方向に積み重ねたとき上記スタッキングバーを支持するよう上記座部の側方にスタッキングバーの受部を設けたことを特徴とする椅子が提供される。
【０００５】
上記座部は裏面を覆う座裏カバーを有し、該座裏カバーには、上記スタッキングバーを支持する上記受部が一体的に形成され、また該座部にはスタッキングバーに形成した係合部を受け止めるストッパーやスタッキングバーの載置部の側面を支持するリブが設けられ、かつ前後方向にスタッキングしたときに背もたれの突出部が入り込む凹部を上記座裏カバーに形成した上記椅子が提供される。
【発明の効果】
【０００６】
本発明は上記のように構成され、座部を水平状態と起立状態に回動可能に設けてあるから、該座部を起立させれば同一形状の椅子を前後方向にスタッキングすることができ、このとき座裏カバーに凹部を形成すると、背もたれの突出部が該凹部に入り込んで前後方向のスタッキングのピッチが小さくなり、コンパクトに積み重ねることができる。また、座部を水平状態にすれば、スタッキングバーの受部が該座部の側方に設けられているので、同一形状の椅子を上下方向にスタッキングすることができ、このとき受部にストッパーやリブを形成すると、スタッキングバーの係合部をストッパーに係合し、外側をリブで抱持することにより確実にスタッキングバーを保持でき、上方の椅子を安定状態に支持することが可能であり、その上、上記座裏カバーと一体的に上記受部を形成することにより、経済的に得ることができる。
【発明を実施するための最良の形態】
【０００７】
図１〜図３は、本発明の一実施例を示し、脚フレーム（１）は、前脚（２）、（２）と、該前脚を収納できるよう該前脚（２）、（２）間の間隔よりも広い間隔をあけて対向する後脚（３）、（３）を有し、該前脚（２）、（２）の先端を後脚（３）、（３）の上部に溶着等により連結して側面からみて略ハ字状に形成され、下端にキャスター（４）・・・を有しており、上記後脚（３）、（３）の上端間には背もたれ（５）が設けられ、両側の前脚（２）、（２）間には座ステー（６）が連結されている。なお、前脚間の間隔を後脚間の間隔より広くして、前脚間に後脚を収納するようにしてもよい。
【０００８】
上記座ステー（６）には、ほぼ水平状態と起立状態に回動できるよう座部（７）を設けてある。該座部（７）の回動機構は種々に構成することができるが、図に示す実施例では、図４、図５に示すように上記座ステー（６）の前面側に略コ字状の座ストッパー片（８）を溶着等により固定し、座クッション部（９）を支持する座受けブラケット（１０）と回転部受片（１１）に形成した略Ｕ字状の溝（１２）、（１３）を座ステー（６）に嵌着して上記座ストッパー片（８）を座受けブラケット（１０）と回転部受片（１１）で挟み込み、座受けブラケット（１０）の裏面が上記座ストッパー片（８）の上面に当る位置で座部（７）がほぼ水平状態に停止し、その状態から、座ステー（６）を中心として座部（７）を起立できる位置まで回動可能に設けてあり、上記座クッション部（９）の裏側には上記座受けブラケット（１０）を隠すように座裏カバー（１４）が設けられている。
【０００９】
上記前脚（２）と後脚（３）の連結部近くには、スタッキングバー（１５）が設けられている。該スタッキングバー（１５）は、後端部（１６）（図２、図６参照）が後脚（３）の内側面に溶着等により連結され、該後端部（１６）から前方に向かって屈曲してほぼ前脚（２）に沿って延びる後方傾斜部（１７）と、該後方傾斜部（１７）の先端から屈曲してほぼ水平に延びる載置部（１８）と、該載置部（１８）の先端から屈曲して上記前脚（２）の下側面に向かって延び、該下側面に溶着等により連結される前方傾斜部（１９）を有している。なお、上記後方傾斜部（１７）を省略して上記載置部（１８）を後端部（１６）まで延長させてもよい。
【００１０】
上記座部（７）の側方には、同一形状の椅子を上下方向に積み重ねたとき上記スタッキングバー（１５）の載置部（１８）を支持するよう受部（２０）が形成されている。該受部（２０）は、図に示す実施例では、上記座裏カバー（１４）と一体的に作られ、図６〜図８に示すように、座クッション部（９）の両側に耳片状に突出し、上記スタッキングバー（１５）の前方傾斜部（１９）に当接するストッパー（２１）と該スタッキングバー（１５）の載置部の側方に位置するリブ（２２）を有し、下面及び内側面に補強リブ（２３）及び（２４）を設けて全体が補強されている。なお、図に示す実施例では前方傾斜部（１９）が係合部となって上記ストッパー（２１）に係合するよう該ストッパーを断面略三角形状に形成してあるが、係合部及びストッパーの位置や形状は、その他の適宜の構造に形成することができる。
【００１１】
上記後脚（３）の先端間に設けられた背もたれ（５）は、図９に示すように、後脚（３）の上端に挿入できる挿入部（２５）を両端に有し、該挿入部（２５）内に補強パイプ（２６）を挿入し、後脚の側面からねじ込んだねじ（２７）で固定してある。なお、該補強パイプ（２６）は上部にピン（２８）を有し、該ピン（２８）を上記挿入部（２５）の上方部分に軸長方向に形成したキー溝（２９）に係合して位置決めされている。また、肘掛け（図示略）を設ける場合は、上記補強パイプ（２６）を挿入した部位に肘掛けの後端に連設した適宜の支持杆（図示略）を挿入して固定すればよい。
【００１２】
上記背もたれは、通常、図１に示すように上縁（３０）、下縁（３１）を後方にわん曲させると座心地をよくすることができるが、そのような突出形状にすると、前後方向にスタッキングするときに、突出部分が干渉してコンパクトにスタッキングすることができない。そこで、実施例においては、図１０に示すように上記座裏カバー（１４）に背もたれ（５）の下縁（３１）の後方わん曲部等の突出部を嵌入できるよう該突出部に対応した形状の凹部（３２）を形成し、積み重ねピッチを小さくできるようにしてある。なお、座裏カバー（１４）の前端側には、取っ手（３３）となる凹部も形成されている。
【００１３】
上記の構成により、座部（７）を回動して起立状態にすれば、図１１に示すように、前後方向にコンパクトにスタッキングすることができ、また座部（７）を水平状態にしたまま上下方向に積み重ねれば安定状態でスタッキングすることもできる（図１２）。
【図面の簡単な説明】
【００１４】
【図１】本発明の一実施例を示す側面図。
【図２】平面図。
【図３】断面図。
【図４】主として座受ブラケット部分の分解斜視図。
【図５】主として座ストッパー片部分の拡大断面図。
【図６】受部の横断面図。
【図７】受部の縦断面図。
【図８】受部を示す座裏カバーの一部の斜視図。
【図９】背もたれ取付部の断面図。
【図１０】座裏カバーと背もたれの一部を示す断面図。
【図１１】前後方向にスタッキングした状態の側面図。
【図１２】上下方向にスタッキングした状態の側面図。
【符号の説明】
【００１５】
１  脚フレーム    ２  前脚    ３  後脚    ５  背もたれ    ６  座ステー
７  座部    ８  座ストッパー片    １０  座受けブラケット    １１  回転部受片  １４  座裏カバー    １５  スタッキングバー    ２０  受部    ２１  ストッパー
２２  リブ
【図１】
2005185385.tif 000003
【図２】
2005185385.tif 000004
【図３】
2005185385.tif 000005
【図４】
2005185385.tif 000006
【図５】
2005185385.tif 000007
【図６】
2005185385.tif 000008
【図７】
2005185385.tif 000009
【図８】
2005185385.tif 000010
【図９】
2005185385.tif 000011
【図１０】
2005185385.tif 000012
【図１１】
2005185385.tif 000013
【図１２】
2005185385.tif 000014